【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
メディア及びイベントの評価を支持するシステムであって、
メディアを視聴している複数の視聴者それぞれからの生理学的データを測定するよう動作可能な一つ又はそれ以上のセンサと、
前記複数の視聴者から測定された前記生理学的データに基づいて、前記メディアを、それぞれが該メディア内に複数のイベント・インスタンスを有する一つ又はそれ以上のイベント種別に決定するよう動作可能な決定モジュールと、
評価モジュールであって、
前記複数の視聴者から測定された前記生理学的データから複数の生理学的反応を導き出し、
前記複数の生理学的反応に基づいて、前記メディアにおける前記一つ又はそれ以上のイベント種別のうちの特定の一つのイベント種別の前記複数のイベント・インスタンスそれぞれに対するスコアを計算し、
前記特定の一つのイベント種別の前記複数のイベント・インスタンスのスコアを集約することにより、前記特定の一つのイベント種別を評価する、
ように動作可能な評価モジュールと、
を備えるシステム。
【請求項２】
メディア及びイベントの評価を支持するシステムであって、
それぞれがメディア内に複数のイベント・インスタンスを有する一つ又はそれ以上のイベント種別の発生及び持続時間を決定及び記録するよう動作可能な決定モジュールと、
前記メディアを視聴している複数の視聴者それぞれからの生理学的データを受信するよう動作可能な受信モジュールと、
評価モジュールであって、
前記生理学的データから複数の生理学的反応を導き出し、
前記複数の生理学的反応に基づいて、前記メディアにおける前記一つ又はそれ以上のイベント種別のうちの特定の一つのイベント種別の前記複数のイベント・インスタンスそれぞれに対するスコアを計算し、
前記特定の一つのイベント種別の前記複数のイベント・インスタンスのスコアを集約することにより、前記特定の一つのイベント種別を評価する、
ように動作可能な評価モジュールと、
を備えるシステム。
【請求項３】
請求項２記載のシステムであって、
前記受信モジュールが、更に、前記メディアを視聴している前記複数の視聴者それぞれから測定された前記生理学的データを記録するよう動作可能であるシステム。
【請求項４】
請求項１記載のシステムであって、
前記メディアが、映画、ビデオ、テレビ番組、テレビ・コマーシャル、広告、ビデオゲーム、インタラクティブなオンライン・メディア、印刷物、及び視聴者が情報を得たり、感情的に影響を受けたりし得る任意の他のメディアのうちの一つであるシステム。
【請求項５】
請求項１記載のシステムであって、
前記メディアにおける前記一つ又はそれ以上のイベント種別それぞれの持続時間が、時間的に不変、非線形又は準線形であるシステム。
【請求項６】
請求項１記載のシステムであって、前記一つ又はそれ以上のセンサのそれぞれが、脳電図、加速度計、血液酸素センサ、検流計、筋電図、及び任意の他の生理学的センサのうちの一つであるシステム。
【請求項７】
請求項１記載のシステムであって、
前記一つ又はそれ以上のセンサが統合センサ・ヘッドセットを含み、該統合センサ・ヘッドセットが、
一つ又はそれ以上の軸加速度計、
一つ又はそれ以上のＥＥＧ電極、
一つ又はそれ以上の心拍数センサ、
及び、処理ユニット、
のうちの一つ又はそれ以上を備えるシステム。
【請求項８】
請求項１記載のシステムであって、前記生理学的データが、心拍数、脳波、ＥＥＧ信号、瞬き率、呼吸、動作、筋肉の動き、電気皮膚反応、及び感情変化と相関付けられる任意の他の反応のうちの一つ又はそれ以上であるシステム。
【請求項９】
請求項１記載のシステムであって、前記生理学的反応が、思考、嗜好、関与、没頭、肉体的関与、誘意性、及び生気のうちの一つ又はそれ以上であるシステム。
【請求項１０】
請求項１記載のシステムであって、前記評価モジュールが、更に、
平均、微分係数、多項式近似、平均値からの偏差、及び平均値からの微分係数の偏差のうちの一つ又はそれ以上である、前記複数の生理学的反応の数学的測定値を計算し、
前記数学的測定値を、畳み込み、加重和、傾きの正負、多項式公式、最小二乗法、サポートベクターマシン、及びニューラルネットワークのうちの一つ又はそれ以上によって、前記特定の一つのイベント種別の前記複数のイベント・インスタンスそれぞれに対するスコアに変換する、
ように動作可能であるシステム。
【請求項１１】
請求項１記載のシステムであって、
前記評価モジュールが、更に、公式、規則、このメディア又は同一ジャンルの他のメディアにおける前記特定の一つのイベント種別の以前のインスタンス、又は前記特定の一つのイベント種別に対する前記複数の生理学的反応の一つ又はそれ以上のプロフィールのうちの一つ又はそれ以上を用いて、前記特定の一つのイベント種別の前記複数のイベント・インスタンスそれぞれに対するスコアを計算するよう動作可能であるシステム。
【請求項１２】
請求項１１記載のシステムであって、
前記評価モジュールが、更に、イベント・インスタンスに対する前記生理学的反応が前記プロフィールに合致する場合に、前記特定の一つのイベント種別の前記イベント・インスタンスに対する良いスコアを計算するように動作可能であるシステム。
【請求項１３】
請求項１１記載のシステムであって、
前記評価モジュールが、更に、前記特定の一つのイベント種別の前記複数のイベント・インスタンスのうちの改善又は変更が必要である一つ又はそれ以上を、それらのスコアに基づいて指摘するように動作可能であるシステム。
【請求項１４】
請求項１１記載のシステムであって、
前記評価モジュールが、更に、専門知識、類似するイベント種別に対する生理学的反応、及び他のメディアからのデータ、の一つ又はそれ以上に基づいて前記プロフィールを決定するよう動作可能であるシステム。
【請求項１５】
請求項１記載のシステムであって、
前記評価モジュールが、更に、平均、性能、数学的公式及び論理的公式のうちの一つ又はそれ以上により、前記特定の一つのイベント種別を評価するように動作可能であるシステム。
【請求項１６】
請求項１記載のシステムであって、
前記評価モジュールが、更に、前記メディアにおける前記一つ又はそれ以上のイベント種別の評価を集約することにより、前記メディアを評価するよう動作可能であるシステム。
【請求項１７】
請求項１記載のシステムであって、
前記評価モジュールが、更に、前記メディア、前記特定の一つのイベント種別、及び前記特定の一つのイベント種別の複数のイベント・インスタンス、のうちの一つ又はそれ以上の前記スコア／評価を表示するよう動作可能であるシステム。
【請求項１８】
請求項１記載のシステムであって、
前記評価モジュールが、更に、
人種、性別、年齢、人口統計、収入、習慣及び興味のうちの一つ又はそれ以上によって前記複数の視聴者をグループ化し、
前記複数の視聴者のそのようなグループ化に従って、前記メディア、前記特定の一つのイベント種別、及び前記特定の一つのイベント種別の複数のイベント・インスタンス、のうちの一つ又はそれ以上の前記スコア／評価を関連付け、及び／又は比較する
ように動作可能であるシステム。
【請求項１９】
メディア及びイベントの評価を支持する方法であって、
メディアを視聴する複数の視聴者それぞれからの生理学的データを受信及び／又は測定するステップと、
前記複数の視聴者から測定された前記生理学的データに基づいて、前記メディアを、それぞれが前記メディア内に複数のイベント・インスタンスを有する一つ又はそれ以上のイベント種別に決定するステップと、
前記生理学的データから複数の生理学的反応を導き出すステップと、
前記複数の生理学的反応に基づいて、前記メディア内の前記一つ又はそれ以上のイベント種別のうち特定の一つのイベント種別の前記複数のイベント・インスタンスそれぞれに対するスコアを計算するステップと、
前記特定の一つのイベント種別の前記複数のイベント・インスタンスのスコアを集約することにより、前記特定の一つのイベント種別を評価するステップと、
を備える方法。
【請求項２０】
メディア及びイベントの評価を支持する方法であって、
それぞれがメディア内に複数のイベント・インスタンスを有する一つ又はそれ以上のイベント種別の発生及び持続時間を決定及び記録するステップと、
前記メディアを視聴している複数の視聴者それぞれからの生理学的データを受信及び／又は測定するステップと、
前記生理学的データから複数の生理学的反応を導き出すステップと、
前記複数の生理学的反応に基づいて、前記メディア内の前記一つ又はそれ以上のイベント種別のうち特定の一つのイベント種別の前記複数のイベント・インスタンスそれぞれに対するスコアを計算するステップと、
前記特定の一つのイベント種別の前記複数のイベント・インスタンスのスコアを集約することにより、前記特定の一つのイベント種別を評価するステップと、
を備える方法。
【請求項２１】
請求項１９記載の方法であって、更に、
前記生理学的データの数学的測定値である、平均、微分係数、多項式近似、平均値からの偏差、及び平均値からの微分係数の偏差、うちの一つ又はそれ以上を計算するステップと、
畳み込み、加重和、傾きの正負、多項式公式、最小二乗法、サポートベクターマシン、及びニューラルネットワークのうちの一つ又はそれ以上によって、前記数学的測定値を、前記特定の一つのイベント種別の前記複数のイベント・インスタンスそれぞれに対するスコアに変換するステップと、
を備える方法。
【請求項２２】
請求項１９記載の方法であって、更に、
公式、規則、このメディア又は同一ジャンルの他のメディアにおける前記特定の一つのイベント種別の以前のインスタンス、又は、前記特定の一つのイベント種別に対する前記複数の生理学的反応のうちの一つ又はそれ以上のプロフィール、のうちの一つ又はそれ以上を用いて、前記特定の一つのイベント種別の前記複数のイベント・インスタンスそれぞれに対する前記スコアを計算するステップを備える方法。
【請求項２３】
請求項２２記載の方法であって、更に、
イベント・インスタンスに対する前記生理学的反応が前記プロフィールに合致する場合に、前記特定の一つのイベント種別の前記イベント・インスタンスに対する良いスコアを計算するステップを備える方法。
【請求項２４】
請求項２２記載の方法であって、更に、
前記複数のイベント・インスタンスのうちで改善又は変更が必要である一つ又はそれ以上を、それらのスコアに基づいて指摘するステップを備える方法。
【請求項２５】
請求項２２記載の方法であって、更に、
専門知識、類似するイベント種別に対する生理学的反応、及び他のメディアからのデータ、のうちの一つ又はそれ以上に基づいて、前記プロフィールを決定するステップを備える方法。